(57)【要約】      （修正有）【課題】使用禁止になったアスベストを吹付け使用した施設において、大気中への飛散を防止する新規なアスベスト吹き付け面のアスベスト封じ込め構造を提供する。【解決手段】結合の強さと耐アルカリ性に優れた高分子硬化剤を利用してアスベストを結合硬化させること、さらにその表面に紙や不織布の貼付或いは有機繊維と高分子硬化剤の複合体構造であり、アスベスト吹付け層の安定化のために、木質のびょうの打込む手段を開発し、これらの複合技術により安定した飛散のないアスベスト構造とした。【選択図】図１
0003124563.tif 000002
【実用新案登録請求の範囲】
【請求項１】
アスベスト含有層に接着剤の付着した複数の木質のびょうが打ち込まれており、かつ、アスベストが高分子硬化剤によって結合されたアスベスト封じ込め構造
【請求項２】
最表面に紙や不織布を貼付けた請求項１のアスベスト封じ込め構造
【請求項３】
最表面に有機繊維と高分子硬化剤の複合体層が存在する構造の請求項１のアスベスト封じ込め構造
【考案の詳細な説明】
【技術分野】
【０００１】本考案は、断熱性や防音性を必要とする室内の壁に吹き付けたアスベスト含有層における封じ込め構造に関する。
【背景技術】
【０００２】アスベスト等を剥離除去する際にアスベストが飛散しないように、保水剤と増粘剤を含む薬剤を処理対象物に塗布することは知られている（特許文献１）。建築物の屋根や天井、外壁面に吹き付けたアスベスト面を、飛散抑制剤で硬化処理をするとともに、構築面に打ち込んだ固定部材にボルトを連結し、金属線や金属材を保持部材によって連結した耐火性被覆材表面に設置する飛散防止装置も知られている（特許文献２）。すなわち、前者はアスベスト層を剥離除去する時の飛散防止方法であり、後者は、アスベスト吹き付け面のアスベスト層の囲い込みを目的とした装置である。【０００３】
【特許文献１】特開平１０−３２３６１４
【特許文献２】実用新案登録第３１１８８０１号
【考案の開示】
【考案が解決しょうとする課題】
【０００４】高度成長時の負の遺産であるアスベスト問題の解決方法としては、剥離除去法、囲い込み法及び封じ込め法の三つの方法が認められ、学校、公民館、全国の工場、その他アスベスト施工現場の対応が研究されている。本考案者らは、アスベストを除去するのではなく、三方法の中の封じ込め法と呼ばれる方法で、安全に封じ込める課題に取組んだ。アスベストは、ボイラー室や温調機室の壁面に、３ｃｍ程度の厚さで吹き付けてあり、断熱性と防音性からアスベストが、かさ高状態に吹き付けられていることが多い。可能な限りその機能を維持しながらアスベストが飛散しないように接着剤で硬化させ、しかも崩れ落ちないように、壁面への十分な接着維持を可能にする構造について検討した。
【課題を解決するための手段】
【０００５】水溶性の高分子樹脂には、無機物との接着性の良いものが多く、アスベストどうしや他の無機物との接着を容易にするものがある。同時に、木質との接着性の良好な水溶性高分子も知られている。本考案では、アスベスト吹付け面の表面から接着性の良い水溶性高分子を水溶液として塗布し、内部へ浸透させ、アスベストが脱離しないように硬化させ、同時に、一定間隔で、接着剤の付着した木質のびょうがアスベスト層に打ち込まれ、びょうを壁面の基礎になっているセメントへ接着させることによりアスベスト被覆層を一体化して、モルタル壁面から脱落しない構造にする。
【考案の効果】
【０００６】アスベスト入りの吹き付け剤を使用して、断熱や防音効果を活用したボイラー室や音楽室は、全国至る所に存在する。建築物の耐用年数が残り短い場合や人の出入りの頻繁な部屋の場合には、アスベストを剥離除去するのが最善である。しかし、平素出入りの少ない部屋の場合、アスベスト層の囲い込み或いはアスベストの封じ込め工法が、簡便であるために、対策として採用される事が多い。本考案は、その封じ込め工法としてアスベストの飛散を防ぐ効果をねらったものである。
【考案を実施するための最良の形態】
【０００７】図によって説明する。図１は断面模式図であり、１が被吹付け面のコンクリート或いは鉄板である。その上に２−１と２−２でアスベスト含有層が吹き付けられている。アスベスト層のアスベストどうし或いは他の無機物や有機物との接着をさせるために、水溶性高分子水溶液を低粘度で、しかも浸透し難い場合には浸透剤を添加して、壁面のアスベスト層２−２へ散布する。同時に濃厚な高分子水溶液に浸漬した木材や竹のびょうが、図１の３−１と３−２のように、一定間隔でアスベスト層に打ち込まれている。びょうの接着剤は、図１の４のように、びょうとコンクリート壁面及びアスベスト層とを接着している。びょうの高さはアスベスト層の高さにする。【０００８】本考案で定義する木質のびょうとは、木材、竹以外に、人工木材やプラスチックの一部を含むものである。図３のように、円柱形、頭のある円柱形、円筒形と、その形を問うものではない。水溶性高分子でモルタル面やアスベスト層に接着する材質と構造であれば差し支えない。塗布した水溶液や打ち込まれたびょうは、数日の乾燥により水分がなくなり、アスベスト層のアスベストを飛散しない形に固めて、壁面に固着させる。【０００９】さらに、封じ込め構造を確実にするために、図１の２−２のように、固着したアスベストと接着したびょうの上に、やや濃厚な水溶性高分子溶液を塗布して、一定の厚みでアスベスト表面層の硬化処理を行う。これによって表面層はより一体化して、安定した封じ込め構造が達成される。乾燥前にアスベスト層を、ある程度押さえて平滑にして乾燥させ、水溶性高分子溶液の未乾燥の時に、図４の５のように、その表面に紙或いは不織布を貼り付けて、囲い込みに近い仕上にする事もできる。さらに手間を掛けて、アスベスト表面層の平滑化乾燥の後に、図５の６のように繊維の織密度の高い二次元布帛を貼り付け、高分子水溶液を塗布して、表面に有機繊維と硬化剤の複合構造を形成させて、封じ込め構造が破壊されないようにするのも最良の形態の一つである。【００１０】本考案の構造に使用する高分子水溶液としては、ポリビニルアルコール系、カルボキシメチルセルロース系、アクリル系などが使用できる。ポリビニルアルコール系の高分子が、木質やコンクリートとの接着性が良好であり、セメントのアルカリ性に対しする耐久性が良い事が知られており、本考案の構造体に使用するには、最も適している。
【実施例１】
【００１１】図２は、本考案の構造の壁面の断面と表面を示す模式的な俯瞰図であり、これにより説明する。１は壁面のコンクリートであり、２−１と２−２がアスベストを含む吹き付け層である。ポパールの５％水溶液をアスベスト層に塗布した。エアガンのスプレーでは、アスベストを吹き散らすので、エアレスの噴霧器を使用して塗布した。浸透性を良くするために、サンノプコ社製のＳＮウエット１２５を、０．１％添加して表面張力を低下させて浸透を図った。２の全てには浸透しなかったが、吹き付け層のアスベストを結合させる事ができた。吹き付けた後、未乾燥の時に、３−１の円柱形のびょうを図２に模式的に示すように、縦横３０ｃｍ間隔に打ち込んで、４日間放置した。ポバールは乾燥し、びょうはコンクリートに接着し、びょうの周辺はアスベスト層に接着し、アスベストの飛散しにくいアスベスト層の安定した構造体が形成された。その上に、粘度の高い１０％のポバール水溶液を塗布して、図１の２−２や図２の２−２に模式的に示すように、ポバールが表面層のアスベストを強固に結合し、比較的硬い表面を有するアスベスト封じ込め構造体が形成された。
【実施例２】
【００１２】通常、アスベスト吹き付け層には、凹凸があるが、ポバール水溶液を吹き付けた時に、コテで表面をある程度平滑にして、紙や不織布を張ることができる。余り圧縮してしまうと断熱性や防音性の機能が減少するので、５％水溶液を吹付けた後で、軽度な力で平滑化した。その他は実施例１と同様にして、２回目の１０％を塗布した。乾き切らない間に、その上に、平方メートル当り３０ｇの目付けのレイヨンとポリエステルの混繊不織布を貼り付けた。そのまま乾燥した所と、さらに、ポバールの１０％溶液を吹付けた所をつくった。前者は、紙で被覆されたアスベスト面となり、後者では、有機繊維とポバールの複合構造体が表面に形成された。アスベスト封じ込め構造の有効な構造体となった。
【産業上の利用可能性】
【００１３】アスベスト対策は、諸外国より若干遅れ、着手したばかりでありである。これまで奨励してきたアスベストの使用禁止処置が取られたので、アスベストの大気中への飛散防止技術が確立できれば、環境問題解決の為に、封じ込め技術は大いに活用される技術と考えている。本考案は、アスベストの飛散防止に有効な構造を提供するものであり、利用可能性は高い。
【図面の簡単な説明】
【００１４】
【図１】アスベスト吹付け壁面の断面模式図
【図２】アスベスト吹付け壁面の断面と表面の一部を示した俯瞰図
【図３】打込むびょうの構造の事例
【図４】封じ込め処理を行った後に不織布を張付けた封じ込め構造の断面模式図
【図５】封じ込め処理を行った後に、有機繊維と高分子硬化剤による複合体層を形成させた封じ込め構造の断面模式図
【符号の説明】
【００１５】１コンクリート層
２アスベストを含有する吹付け層、２−１及び２−２の層
２−１アスベストを含有する吹付け層のコンクリートに近い層
２−２アスベストを含有する吹付け層の表面層、高分子硬化剤で硬化した層
３−１円柱形のびょう
３−２頭のあるびょう
３−３円筒形のびょう
４びょうとコンクリート面及びアスベスト吹付け層を結合している接着剤
５表面に張付けた紙・不織布
６有機繊維と高分子硬化剤の複合体層
【図１】
0003124563.tif 000003
【図２】
0003124563.tif 000004
【図３】
0003124563.tif 000005
【図４】
0003124563.tif 000006
【図５】
0003124563.tif 000007